(57)【要約】【課題】参加者の注目度、理解度などを反映して、臨機応変な議事進行またはプレゼンテーションを可能とする会議システムを提供する。【解決手段】  表示装置１、携帯端末４または携帯電話機５を備える。表示装置１は、表示部２、情報処理部３を備える。情報処理部３は、端末等４、５と通信回線を介して接続されている。情報処理部３は、例えばＰＣであり、プレゼンテーションのアプリケーションを実行し、そのコンテンツを表示する。これと同内容のコンテンツをその進行に合わせて端末等４、５に送信し、端末等４、５は、受信したコンテンツをこの進行に同期して表示する。端末等４、５は、コンテンツの項目の選択、およびその項目についての質問内容の入力を受け付ける。端末等４、５は、項目、質問内容を情報処理部３に送信する。情報処理部３は、項目を集計して、それに応じてコンテンツの対応する項目の表示の属性（下線、マーキング）を変える。  【選択図】図１
2009187094.tif 000002
【特許請求の範囲】
【請求項１】
表示装置と、情報処理端末と、を備えた会議システムにおいて、
前記表示装置は、
会議またはプレゼンテーションのコンテンツを表示する第１の表示部と、
前記情報処理端末との間でデータの送受信をする第１の通信手段と、
前記第１の表示部の表示状態を操作する第１の入力部と、を備え、
前記情報処理端末は、
会議またはプレゼンテーションのコンテンツを表示する第２の表示部と、
前記第２の表示部に表示された項目を選択する第２の入力部と、
前記表示装置との間でデータの送受信をする第２の通信手段を備え、
前記表示装置は、前記第１の通信部を用いて、前記第１の表示部に表示されているコンテンツを前記情報処理端末に送信して、
前記情報処理端末は、前記第１の表示部に表示されたコンテンツと同内容のコンテンツまたはその一部を前記第２の表示部に表示させると共に、前記第２の入力部を介して、前記コンテンツの項目の選択を受け付け、この選択がされた場合には、前記第２の通信部を介して、前記第２の入力部により選択された項目についての選択情報を送信し、
前記表示装置は、前記第１の表示部に表示されたコンテンツのうち、前記選択情報に対応する部分の表示状態を変更することを特徴とする会議システム。
【請求項２】
前記情報処理端末の第２の通信部は、無線通信部を備える請求項１に記載の会議システム。
【請求項３】
前記情報処理端末の第２の入力部は、タッチされた画面上の位置の座標を検出するタッチパネルを備え、
前記情報処理端末は、前記選択情報として、前記タッチパネルが検出した座標を前記表示装置に送信する請求項１〜２のいずれかに記載の会議システム。
【請求項４】
前記表示装置は、前記情報処理端末から送信された前記選択情報に基づいて、前記コンテンツの中の項目ごとに当該項目の選択がされた情報処理端末の数の集計を行う集計手段を備え、この集計の結果に応じて、前記コンテンツの中の表示状態を変化させる請求項１〜３のいずれかに記載の会議システム。
【請求項５】
前記情報処理端末の第２の入力部は、文字入力を受け付ける文字入力部を有し、
前記情報処理端末は、前記表示装置に表示されたコンテンツの項目の選択と併せて、前記第２の入力部を介して前記選択した項目に関する質問を受け付けて、前記表示装置に送信し、
前記表示装置の第１の表示部は、各項目の質問の有無に応じて前記表示状態を区別して表示する請求項４に記載の会議システム。
【請求項６】
前記表示装置は、前記集計手段を用いて、前記表示装置に表示しているコンテンツのうち、前記項目の選択と併せて質問を受け付けた情報処理端末の数と、質問を伴わないで項目が選択された情報処理端末の数と、を前記項目ごとに分けて集計を行い、この集計した結果に応じて、前記第１の表示部の各項目の表示状態を変更する請求項５に記載の会議システム。
【請求項７】
前記表示装置の第１の入力部は、これに表示されたコンテンツから質問された項目の選択を受け付け、この第１の入力部から当該項目の選択を受け付けると、当該項目に関する質問内容を表示する請求項６に記載の会議システム。
【請求項８】
前記表示装置は、前記第１の入力部を介して、前記質問についてのチェック入力を受け付けて、前記チェック入力がされると前記質問についての表示状態を変更する請求項７に記載の会議システム。
【請求項９】
インターネットに接続されたサーバに格納され、ウェブサイトのコンテンツを構成するプログラムであって、コンピュータまたは携帯端末機器が当該ウェブサイトにアクセスしてダウンロードし、ウェブサイトを表示するソフトウェアにより実行するプログラムにおいて、
コンテンツを表示する表示ステップと、
特定人のみが知る所定の入力により、コンテンツを進行し、更新するステップと、
前記コンテンツについての各項目について選択を受け付ける項目選択ステップと、
項目が選択された場合に、選択された項目を前記サーバへ送信することを受け付ける選択項目送信ステップと、
前記項目が選択された場合に、質問内容を前記サーバへ送信することを受け付ける質問送信ステップと、
コンテンツの各項目について選択された数、質問の数を前記項目ごとに集計し、前記集計結果に応じて、コンテンツの表示状態を変更する表示状態変更ステップと、を実行するプログラム。
【発明の詳細な説明】
【技術分野】
【０００１】
本発明は、表示装置、情報処理端末を用いる会議システムに関する。
【背景技術】
【０００２】
従来、電子黒板または表示装置を有する発表会運営用のメイン端末と、発表会に参加した複数の参加者用のサブ端末を備えた表示装置が開示されている（特許文献１〜３等）。特許文献１には、発表者用と視聴者用の携帯端末を用いて、発表者が質問し視聴者が回答し集計する装置、又視聴者の質問をランダムに選択し通知するシステムが開示されている。また、特許文献４には、ネットワークと、該ネットワークに相互に接続されたホストサーバ、発表者用端末および投資家用端末とを接続し、発表者用端末に、質問登録手段に登録されている質問を質問一覧画面として表示する電話会議システムが開示されている。
【特許文献１】特開２００２−３５８０６４公報
【特許文献２】特開２００６−１３４０９４公報
【特許文献３】特開平０６−１７８２９６号公報
【特許文献４】特開２００２−１２３６２３公報
【発明の開示】
【発明が解決しようとする課題】
【０００３】
しかしながら、従来の会議での質問形態では、質問件数や質問内容が把握しづらく、会議の出席者の意見を十分取り込めない可能性があった。例えば、挙手等による質疑応答では、挙手により指名された人の関心が高い箇所に対してのみ応答されるので、全体の関心がどの点にあるのか把握することが容易ではなかった。このような問題を解決するために、ともすれば、発表者に豊富な経験が必要であった。
【０００４】
特許文献１の構成では質問一覧画面を表示し、特許文献４の構成では発表者に質問内容が伝わる構成としている。しかし、これらの構成では、表示している内容のうちどの部分に特に関心が高く、質問が求められているか、参加者の注目度、反応を発表者が把握することは容易ではなかった。したがって、参加者の注目度を反映した補足説明をすることや、注目度に応じた、臨機応変な質問の回答をすることが容易でなかった。
【０００５】
また、参加者側としても、他の参加者の注目度を容易に把握できないので、これらの構成では、参加者側からの効率の良い議論を喚起することは容易ではなかった。結果として、参加者全体の理解度を効率よく高めることができない虞があった。
【０００６】
そこで、本発明は、参加者の注目度、理解度などを反映して、臨機応変な議事進行またはプレゼンテーションを可能とする会議システムを提供することを目的とする。
【課題を解決するための手段】
【０００７】
上記課題を解決するために、以下の構成を備えることができる。
【０００８】
（１）  表示装置と、情報処理端末と、を備えた会議システムにおいて、
前記表示装置は、
会議またはプレゼンテーションのコンテンツを表示する第１の表示部と、
前記情報処理端末との間でデータの送受信をする第１の通信手段と、
前記第１の表示部の表示状態を操作する第１の入力部と、を備え、
前記情報処理端末は、
会議またはプレゼンテーションのコンテンツを表示する第２の表示部と、
前記第２の表示部に表示された項目を選択する第２の入力部と、
前記表示装置との間でデータの送受信をする第２の通信手段を備え、
前記表示装置は、前記第１の通信部を用いて、前記第１の表示部に表示されているコンテンツを前記情報処理端末に送信して、
前記情報処理端末は、前記第１の表示部に表示されたコンテンツと同内容のコンテンツまたはその一部を前記第２の表示部に表示させると共に、前記第２の入力部を介して、前記コンテンツの項目の選択を受け付け、この選択がされた場合には、前記第２の通信部を介して、前記第２の入力部により選択された項目についての選択情報を送信し、
前記表示装置は、前記第１の表示部に表示されたコンテンツのうち、前記選択情報に対応する部分の表示状態を変更することを特徴とする。
【０００９】
この構成では、前記情報処理端末は、前記表示装置に表示されたコンテンツと同内容のコンテンツまたはその一部を前記第２の表示部に表示させ、コンテンツの項目の選択を受け付け、表示装置は、選択された項目の表示状態を変化させる。したがって、会議の参加者の注目度を、発表者等（プレゼンテーションの発表者、コンテンツの進行の司会者、議事進行者等、以下、「発表者等」というときは同じ。）に伝達、フィードバックすることが出来る。発表者等は、第１の表示部以外を見なくても、参加者の反応を知ることができるから、その進行に集中しながら、参加者の反応に対応することが出来る。
【００１０】
また、表示装置と端末は通信回線で接続されているから、遠隔地間で使用する場合にも、そのコンテンツを共有できる。
【００１１】
（２）  前記情報処理端末の第２の通信部は、無線通信部を備えるようにしてもよい。
【００１２】
このようにすれば、会議室に配線が必要でなくなり、自由な座席設定が可能になる。遠隔地間で使用する場合には、端末の位置が拘束されずに、そのコンテンツを共有できる。なお、この構成では、必ずしも無線通信部以外を備えなくてもよいし、また、無線通信部以外を備えていても良い。
【００１３】
（３）  前記情報処理端末の第２の入力部は、タッチされた画面上の位置の座標を検出するタッチパネルを備え、
前記情報処理端末は、前記選択情報として、前記タッチパネルが検出した座標を前記表示装置に送信するようにしてもよい。
【００１４】
タッチパネルによれば、迅速な会議進行において、小さな情報処理端末でも容易に入力でき、表示装置に反映できる。
【００１５】
（４）  前記表示装置は、前記情報処理端末から送信された前記選択情報に基づいて、前記コンテンツの中の項目ごとに当該項目の選択がされた情報処理端末の数の集計を行う集計手段を備え、この集計の結果に応じて、前記コンテンツの中の表示状態を変化させる。
【００１６】
情報処理端末の数は、その項目を選択した参加者の数になる。したがって、その項目についての注目度を表わす物であって、この構成では、この結果に基づいて、表示状態を変更するので、上記発表者等は、この注目度を知ることができ、臨機応変に補足説明したりするなどの対応が可能になる。
【００１７】
（５）  前記情報処理端末の第２の入力部は、文字入力を受け付ける文字入力部を有し、
前記情報処理端末は、前記表示装置に表示されたコンテンツの項目の選択と併せて、前記第２の入力部を介して前記選択した項目に関する質問を受け付けて、前記表示装置に送信し、
前記表示装置の第１の表示部は、各項目の質問の有無に応じて前記表示状態を区別して表示する。
【００１８】
この構成では、発表者等は、コンテンツを表示している第１の表示部に集中しつつも、質問がある項目を知ることが出来る。したがって、節目で臨機応変に質問に答えることが出来るし、説明不足であったと認識して補足説明することも可能である。また参加者としても、恥ずかしく手を挙げる必要もない。質問内容に関係する項目も示すことが出来るから、参加者、発表者等双方共に無駄のない進行が可能になる。
【００１９】
（６）  前記表示装置は、前記集計手段を用いて、前記表示装置に表示しているコンテンツのうち、前記項目の選択と併せて質問を受け付けた情報処理端末の数と、質問を伴わないで項目が選択された情報処理端末の数と、を前記項目ごとに分けて集計を行い、この集計した結果に応じて、前記第１の表示部の各項目の表示状態を変更する。
【００２０】
この構成では、質問の数と、質質問を伴わないで項目が選択された情報処理端末の数とを分けて集計するので、その結果を第１の表示部に反映でき、参加者の関心をより詳細に発表者等に伝達し、フィードバックできる。
【００２１】
（７）  前記表示装置の第１の入力部は、これに表示されたコンテンツから質問された項目の選択を受け付け、この第１の入力部から当該項目の選択を受け付けると、当該項目に関する質問内容を表示するようにしてもよい。
【００２２】
発表者等は、コンテンツの進行に合わせて、質問されている項目を把握できる。この状態では、質問内容が表示されず、コンテンツの進行を邪魔しない。さらに、第１の入力部で項目を選択すると、発表者等は、質問内容を把握できる。したがって、発表者等は、表示装置以外を見なくとも、表示装置だけを見ている状態で質問を把握でき、折を見てこれに答えることが出来る。
【００２３】
（８）  前記表示装置は、前記第１の入力部を介して、前記質問についてのチェック入力を受け付けて、前記チェック入力がされると前記質問についての表示状態を変更する。
【００２４】
チェック入力を受け付けて、第１の表示部にチェックを入れるので、質問に答えた部分をチェックすることができ、無駄なく、質問に答えることが出来る。
【００２５】
（９）  インターネットに接続されたサーバに格納され、ウェブサイトのコンテンツを構成するプログラムであって、コンピュータまたは携帯端末機器が当該ウェブサイトにアクセスしてダウンロードし、ウェブサイトを表示するソフトウェアにより実行するプログラムにおいて、
コンテンツを表示する表示ステップと、
特定人のみが知る所定の入力により、コンテンツを進行し、更新するステップと、
前記コンテンツについての各項目について選択を受け付ける項目選択ステップと、
項目が選択された場合に、選択された項目を前記サーバへ送信することを受け付ける選択項目送信ステップと、
前記項目が選択された場合に、質問内容を前記サーバへ送信することを受け付ける質問送信ステップと、
コンテンツの各項目について選択された数、質問の数を前記項目ごとに集計し、前記集計結果に応じて、コンテンツの表示状態を変更する表示状態変更ステップと、を実行する。
【００２６】
このようにプログラムを構成すれば、会議システムをウェブサイトとして簡易にかつ大規模に構築できる。ウェブサイトを表示することができるコンピュータ、情報処理端末は広がりつつあるから、ウェブ上で講習会を行ったり、ウェブ上での株取引説明会を行ったりするような会議システムを提供できる。
【発明の効果】
【００２７】
本発明の会議システムによれば、参加者の注目度を反映した議事進行またはプレゼンテーションをすることができる。
【発明を実施するための最良の形態】
【００２８】
図１に本発明の一実施形態の会議支援システムの概要を平面図で示す。会議支援システムは、表示装置１と、携帯端末４、携帯電話機５を備える。発表者１０２は、プレゼンテーションの発表者、コンテンツの進行の司会者、議事進行者等である。参加者１０３は、発表者１０２以外の会議の参加者である。表示装置１は、会議テーブル１０１の前に設けられ、会議の参加者１０３各々が視認できる程度の大きさの表示部２と、プレゼンテーションを行うための情報処理部３、マウス３８、キーボード３９を備える。携帯端末４、携帯電話機５は、少なくともいずれか一方が、参加者１０３に配布されている。
【００２９】
表示部２は、液晶ディスプレイ、プラズマディスプレイ、オプジェクタのスクリーンなどで構成する。
【００３０】
情報処理部３は、例えばパーソナルコンピュータの構成とすることができる。情報処理部３は、プレゼンテーションを行うためのソフトウェアと、このソフトウェアを実行するＣＰＵ、携帯端末４、携帯電話機５と通信するためのＬＡＮカードなどを備える。表示部２は、このソフトウェアの実行結果を表示する。発表者１０２の操作するマウス３８、キーボード３９は、情報処理部３に指示を送り、プレゼンテーションのソフトウェアを操作する。これにより、発表者１０２は、プレゼンテーションのコンテンツ、資料を表示部２に表示させ、プレゼンテーションを進行させる。
【００３１】
携帯端末４、携帯電話機５（以下「端末等４、５」と省略する。）は、それぞれ表示部と、操作キー、通信部を備え、電話回線からインターネット等を介して、操作キーから入力された情報を表示装置１の情報処理部３に送信する。
【００３２】
情報処理部３は、通信回線を介して、端末等４、５にも表示部２に表示するコンテンツの内容と同内容のコンテンツを送信する。端末等４、５は、受信した内容のコンテンツまたはその一部を端末等４、５の表示部に表示させる。参加者１０３は、会議の質問内容を携帯端末４または携帯電話機５に入力する。これらの端末等４，５は、情報処理部３に質問内容を送る。情報処理部３は、各々の参加者１０３の質問状況を表示部２に反映させる。
【００３３】
図２に表示装置１の正面（図１のＡ−Ａ矢視図に相当）から見た会議システムと、表示部２の表示状態を示す。表示装置１は、表示部２と、情報処理部３、周辺機器６、これらを支持する台座９を備える。表示部２は、プレゼンテーション、または会議の内容を表示する。
【００３４】
周辺機器６は、例えば、スキャナ装置６１、プリンタ装置６２を備える。発表者１０２、参加者１０３は、会議の進行に合わせて、これらを使用する。スキャナ装置６１は、原稿の画像を読み取ってこれをデジタルデータにする装置である。プリンタ装置６２は、表示情報を印字出力する装置である。例えば、参加者１０３から資料が提供された場合には、その資料を表示させるためスキャナ装置６１を用いて資料を読み取り、表示部２に表示させる。また、例えば会議の内容や補助資料を配布するため、プリンタ装置６２から表示部２に表示されている内容を印刷する。
【００３５】
台座９は、基台９１、脚部９２、移動用車輪９３、載置台９４を備える。基台９１は、床面と対向する位置に配置される土台であり、表示装置１全体を支持する。２つの脚部９２は、基台９１と表示部２とを連結して表示部２を支持する。移動用車輪９３（キャスター）は、床と基台９１との間に配置され、表示装置１を水平方向に移動可能にする。載置台９４は、周辺機器６（６１、６２）を載置するためのトレイである。
【００３６】
図３に本実施形態の会議システムの全体ブロック図を示す。会議システムは、表示装置１、端末等４，５、通信システム７を備える。
【００３７】
前述したように表示装置１は、表示部２、情報処理部３を備える。表示部２は、さらにタッチパネル２０を備える。タッチパネル２０は、表示部２の前面に接して設けられ、タッチ部分の座標を検出する。情報処理部３は、タッチパネル２０で受けたタッチ操作に基づいて、各種の処理を行う。例えば、タッチパネルに触った座標に表示している項目の表示状態を変える。また、その項目について質問がある場合には、その質問を表示したりする。
【００３８】
情報処理部３は、ＣＰＵ３０、ＲＯＭ３１、ＲＡＭ３２、ＨＤ３３（ハードディスク）、ＵＳＢ３４、ＶＧＡカード３５、ＬＡＮカード３６を備える。ＲＯＭ３１には、ＢＩＯＳ、制御情報などが記録されている。ＨＤ３３は、各種のプログラムを記憶している。ＣＰＵ３０は、ＨＤ３３からＲＡＭ３２内にプログラムを呼び出して各種の処理を行う。ＵＳＢ３４は、各種の装置（２０、６１、６２）とデータを送受信する。ＶＧＡカード３５は、ビデオメモリ、カラーパレット等を備え、表示部２の表示状態を制御する。ＬＡＮカード３６は、通信システム７とＬＡＮケーブルを介して接続され、外部との送受信を行う。この実施形態では、端末等４、５とデータの送受信を行う。
【００３９】
通信システム７は、インターネット７１、携帯基地局７２を含む。携帯基地局７２と端末等４、５は、それぞれ送受信部を備え、電波で送受信する。インターネット７１は、外部との情報通信網であり、携帯基地局７２とつながっている。表示装置１は、通信システム７を介して、端末等４、５と通信を行う。
【００４０】
ＨＤ３３が記憶するプログラムの例としては、オペレーティングシステム、プレゼンテーションを行うためのアプリケーション、スキャナ装置６１、プリンタ装置６２を制御するためのデバイスドライバー、ＶＧＡカード３５、ＵＳＢ３４を制御するためのデバイスドライバーなどが挙げられる。
【００４１】
このプレゼンテーション用のアプリケーションとしては、例えば、３つのサブアプリケーションを含むようにすることができる。第１のサブアプリケーションは、プレゼンテーションのコンテンツを表示する。第１のアプリケーションは、タッチパネル２０、マウス３８、キーボード３９の入力を受け付けて、ＶＧＡカード３５のドライバーを呼び出して画面の状態を変化させる。これにより、このコンテンツを進行させたり、各種の表示状態を変更したりする。
第２のサブアプリケーションは、現在表示しているプレゼンテーションのコンテンツを、表示部２の表示状態と同期して、通信システム７を介して端末等４、５に送信する。このとき、ＬＡＮカード３６のデバイスドライバーを呼び出して、コンテンツのデータを送信する。
第３のサブアプリケーションは、端末等４、５から送信された項目、質問を解析して第１アプリケーションで表示するコンテンツの表示状態を変更させる。このとき、適宜、ＬＡＮカード３６、ＶＧＡカード３５のデバイスドライバーを呼び出す。
【００４２】
なお、コンテンツとしては、例えば、ＸＭＬ、ＨＴＭＬなどのウェブコンテンツを用いることが可能である。さらに、ＸＭＬ、ＨＴＭＬは、タグ形式の言語であるから、文字属性を決定することが出来るし、リンクや質問の送信フォームを埋め込んだりすることが可能である。また、外部アドインとしてプログラムを追加できるプレゼンテーション用アプリケーションを用いれば、以上で説明した第１〜第３のアプリケーションをこの外部アドインのプログラムとして構成できる。後述の端末等４、５も同様である。
【００４３】
次に、端末等４、５の構成例について説明する。図４（Ａ）の携帯端末４または図４（Ｂ）の携帯電話機５の構成を示す。図４に示すように携帯端末４は、端末表示部４１、操作キー４２、キーボード４３、電子ペン４４を備える。端末表示部４１は、表示部２に表示するコンテンツと同様の内容を表示する。ただし、表示部４１の画面の大きさには制限があるから、表示部２の表示とまったく同一とする必要はなく、表示部２の表示内容の一部か、表示部２の表示内容と実質同一であれば良い。
【００４４】
操作キー４２は、図示しない携帯端末４のＣＰＵに指示を送る。なお、操作キー４２各々は、キーの数の制限があるから、画面の表示状態に応じてキーの機能を変更するようにしてもよい。例えば、項目を選択するキー、選択した項目を送信するキー、質問を入力する画面へ移動するキーが表示状態に応じて割り当てられるようにしてもよい。また、端末表示部４１の大きさには制限があるから、操作キー４２によりスクロールや画面の切換を受け付けるようにしてもよい。キーボード４３は、質問を受け付ける画面に移動したときに、質問の文字入力を受け付ける。
【００４５】
参加者１０３が電子ペン４４を端末表示部４１にあてがうと、携帯端末４は、その接触した部分の座標を取得する。端末表示部４１に表示された項目をなぞると、携帯端末４は、その位置を判断して端末表示部４１の表示状態を変える。例えば、マーカーでなぞったようなマーキングを付す。
【００４６】
また、携帯端末４は、図示しない送信受信部を備えている。表示装置１からコンテンツを受信する。また、参加者１０３が携帯端末の表示画像の関心のある箇所に電子ペン４４でマーキング操作を行うと、端末等４、５は、マーキングした項目の情報(請求項記載の操作情報)を表示装置１に送信する。なお、ここでは、マーキングした座標を送信しても良い。
【００４７】
さらに、マーキングした項目について質問を受け付けた場合には、質問の項目（またはマーキングした部分の座標）と併せて、質問内容の文字データを送信する。情報処理部３は、表示部２の中の、マーキングした部分に対応する項目の表示状態を変更させる。これにより、表示部２は、参加者１０３の関心のある部分を発表者１０２に知らせることができる。
【００４８】
図４（Ｂ）に示すように、携帯電話機５は、電話機表示部５１、番号ボタン５２、操作キー５３を備える。また図示しない送受信部を備える。５１〜５３は、それぞれ、４１〜４３に対応している。電話機表示部５１は、表示部２に表示するコンテンツと同様の内容を表示する。操作キー５２は、各種の操作を受け付ける。例えば、コンテンツの項目の選択を受け付けたり、質問を送信する決定を受け付けたりする。コンテンツの項目の選択を受け付けると、番号ボタン５３から質問内容の入力を受け付ける。各番号ボタン５３には複数の文字が当てられており、連打することにより、文字が変化する。上記決定ボタンが押されると、質問内容を表示装置１に送信する。
【００４９】
図５、図６を用いて、表示部２の表示内容について説明する。前述のとおり、表示部２は、プレゼンテーションのコンテンツを表示し、端末等４、５にも、表示部２の内容が表示される。表示装置１は、端末等４、５から、質問の項目および質問内容を受信する。
【００５０】
情報処理部３は、これらを受信して、質問状態が反映されるよう表示部２の表示状態を変更する。例えば、図２に示すように、アンダーライン表示をしたり（３行目）、二重のアンダーライン表示をしたり（５行目）、背景に色を付けたりする（即ちマーキングしたりする）（８行目）。この表示状態については、質問件数によって変更する。端末等４、５で入力された質問の数に応じて、その数が増えるほど徐々により強調するように表示状態を変える。例えば、質問件数が少ない場合はアンダーラインで表示し、さらに件数が増えると二重のアンダーライン表示となり、さらに件数が増えると背景に色を付ける様な表示方法で表示する。
【００５１】
また、上述のとおり、参加者１０３は、質問をせずとも、注目している部分をマーキングすることができる。この場合も、マーキングした項目が情報処理部３に送信され表示部２に表示される。この項目の表示も、同様に、マーキングされた端末等４、５の台数に応じて強調する。同じ項目にマーキングしている参加者１０３が多い場合には、アンダーラインをより太く、マーキング表示をより濃く表示する。このような表示状態の変化をする場合には、マーキングと質問に応じて区別できるよう、別個に表示状態を変化させるようにしてもよい。例えば、マーキング数に対してはアンダーラインを変更し、質問の数に応じて背景色を変えるようにしてもよい。そのほかに、文字の太さや色を変更しても良いし、周期的に文字の装飾を変化させてもよい。
【００５２】
また、項目の選択、質問がされた項目の数を合算した集計結果に基づいて表示状態を変化させ、質問の有無だけを反映するようにしても良い。例えば、この合算した集計結果に基づいて、アンダーラインを太くし、１つ以上の質問がある場合には、マーキングして、質問がない場合には、マーキングしないという表示状態の変化を行ってもよい。
【００５３】
このように表示状態を変えることにより、発表者１０２は、表示部２以外を参照することなく、会議出席者の質問の多い項目をリアルタイムで把握できる。この表示方法では、項目の表示属性を変えるものであって、唐突に質問画面に移動するものでないから、議事進行を邪魔することもない。したがって、発表者１０２は、的確なタイミングで、例えばプレゼンテーションの節目で、質問に回答する事ができる。また、参加者１０３が質問入力するのに不慣れな場合でも、マーキングするだけで発表者１０２に伝わるので、補足説明を発表者１０２に促すことが出来る。
【００５４】
図６に、発表者１０２が項目をクリックした場合に、表示される質問内容の例を示す。８行目の文字列の背景には、質問件数の多いので、文字をマーキングして表示する。この部分をクリックしたときに、質問内容が表示されている状態を示している。情報処理部３は、質問、および質問の受け付け順番を記憶しており、質問した順番に表示部２に表示させる。また、この質問の件数を集計して、件数も表示部２に表示させる。これにより、発表者１０２は、質問内容を見て、重要な内容から回答することもできる。また、同じ項目の質問の件数の多いものから回答する等の判断ができ、的確に参加者１０３の要求に答えることが出来る。回答の終わった質問に対しては、発表者１０２は、削除又は回答済みのチェックマークを入れて、回答の履歴を残すことができる。
【００５５】
なお、上記アプリケーションの初期設定において、表示部２が参加者１０３の質問を表示する際には、社外等でのプレゼンでは表示しない、または社内会議であれば質問内容を表示する、といった選択を予め受け付けるようにしてもよい。
【００５６】
図７に本実施形態の表示装置１についてのフローチャートを示す。このフローは、プレゼンテーションのアプリケーションを実行したときの処理手順を表わしている。
【００５７】
Ｆ１：プレゼンテーションのコンテンツを表示部２に表示する。このとき、上記第１のサプアプリケーションを実行する。
Ｆ２：表示装置１の情報処理部３は、端末等４、５にプレゼンテーションの画面を送信する。また、現在表示部２に表示しているプレゼンテーションの頁または項目を送信する。このとき、上記第２のサブアプリケーションを実行する。
Ｆ３：情報処理部３は、端末等４、５からマーキング箇所の情報、または、質問内容のデータおよび質問に対応するプレゼンテーションの項目を受信する。このとき上記第３のサブアプリケーションを実行する。
【００５８】
以下のＦ４、Ｆ５、Ｆ８、Ｆ１１では、マーキング、質問内容の受信を待機し、これらを受信した場合には各々に対応する処理を行う。
Ｆ４、Ｆ８：端末等４、５から質問内容のデータを受信したかどうか判断する。このデータを受信した場合（Ｆ４のＹＥＳ）、Ｆ８に移動する。Ｆ８では、質問に対応する項目の表示内容を変更する。このとき、上記第１のサブアプリケーションを実行する。Ｆ８の後、Ｆ３に戻る。他方、質問内容のデータを受信していない場合（Ｆ４のＮＯ）、Ｆ５に移動する。
【００５９】
Ｆ５、Ｆ１１：携帯端末４の表示部４１の画面にマーキング操作がされたことを携帯端末４から受信した場合、Ｆ１１に移動する。Ｆ１１では、表示部２に表示しているコンテンツのうち、マーキングに対応する表示箇所の表示状態を変更する。情報処理部３は、コンテンツの項目ごとにマーキング操作のされた携帯端末４の台数を集計する。情報処理部３は、このマーキングに対応する表示部２の表示箇所をより強調させるように変更させる。この表示状態の強調度合いを台数に応じて変える。例えば、前述のように、質問の場合と同様、下線→２重下線→背景色の変更というように変化してもよい。また、質問の数に応じて強調する表示部２の表示状態と区別するために、別の色を使っても良い。Ｆ１１の後、Ｆ３に戻る。
Ｆ６：表示装置１に対して、プレゼンテーションの終了操作がされると（Ｆ６のＹＥＳ）、終了する。
【００６０】
Ｆ７：プレゼン画面を変更する操作がされた場合、例えば、次の頁への移動が選択された場合は（Ｆ７のＹＥＳ）、Ｆ１に戻り、画面を更新する。変更する操作がされず、そのままの場合は（Ｆ７のＮＯ）、Ｆ４へ戻り、Ｆ４〜Ｆ７の判断に応じて、各処理を続行する。
【００６１】
図８に本実施形態の携帯端末４のフローチャートを示す。
【００６２】
Ｓ１、Ｓ１１：携帯端末４は、情報処理部３からプレゼンテーションのコンテンツを受信したかどうか判断する。受信した場合には（Ｓ１のＹＥＳ）、Ｓ１１に移動する。Ｓ１１で、表示部２に表示しているコンテンツと同内容（同一頁）のコンテンツを表示する。受信していない場合には（Ｓ１のＮＯ）、Ｓ２に移動する。
【００６３】
Ｓ２、Ｓ２１、Ｓ２２：携帯端末４は、電子ペン４４からマーキング入力がされたかどうか判断する。マーキング入力された場合には（Ｓ２のＹＥＳ）、Ｓ２１に移動する。Ｓ２１で、携帯端末４内部の記憶部（フラッシュメモリ等）は、マーキング箇所を記憶する。Ｓ２２で、携帯端末４内部の上記送受信部は、マーキング箇所を情報処理部３に送信する。マーキング入力がされていない場合には（Ｓ２のＮＯ）、Ｓ３に移動する。
【００６４】
Ｓ３、Ｓ３１、Ｓ３２：携帯端末４は、質問入力がされたかどうか判断する。マーキング入力された場合には（Ｓ３のＹＥＳ）、Ｓ３１に移動する。Ｓ３１で、携帯端末４内部の図示しない記憶部は、質問内容およびコンテンツの中の質問箇所を記憶する。Ｓ３２で、携帯端末４内部の上記送受信部は、これら質問内容およびコンテンツを情報処理部３に送信する。質問入力がされていない場合には（Ｓ３のＮＯ）、Ｓ１に戻って、以上の処理を繰り返す。
【００６５】
なお、以上の処理では省略しているが、携帯端末４がプレゼンテーションのコンテンツを表示しているときに参加者１０３がＳ３の質問の入力をするには、参加者１０３が項目を選択し、決定キーまたは質問キーを押すなどの操作をすることにより行う。この操作がされると、質問入力の画面を端末表示部４１に表示し、その上で質問の入力を受け付ける。そのとき質問の入力を受け付けた場合には、Ｓ２１以下の処理を行う。
【００６６】
また、以上の図８では携帯端末４を例にとって説明したが、携帯電話機５についても、マーキング入力を操作キー５２による項目選択とし、文字入力を番号ボタン５２による入力としてそのまま適用できる。
【００６７】
図９に本実施形態の会議システムで取り扱うデータのデータ構造を示す。これらのデータは、情報処理部３のＨＤ３３、携帯端末４内のフラッシュメモリ４５に記憶されている。ＨＤ３３は、項目データ３３１、マーキング箇所集計データ３３２、質問内容集計データ３３３を記憶している。フラッシュメモリ４５は、項目データ４５１、マーキング箇所データ４５２、質問内容データ４５３を記憶している。
【００６８】
項目データ３３１、項目データ４５１は、プレゼンテーションのコンテンツの各項目である。この項目のそれぞれは、参加者１０３がマーキングしたり、質問したりする対象となる単位である。情報処理部３は、発表者１０２が頁をめくるたびに、発表者１０２に表示されている項目を携帯端末４に送信する。そして、端末等４、５は、端末等４、５に表示されているコンテンツにおいて、項目データ４５１それぞれを単位として、選択、マーキング、質問を受け付ける。
【００６９】
マーキング箇所集計データ３３２は、情報処理部３のＣＰＵ３０がマーキング箇所データ４５２を集計したものである。マーキング箇所データ４５２は、参加者１０３が各端末でマーキングしたかどうか否かを２進数で表わすビットデータである。情報処理部３のＣＰＵ３０は、上記第３のアプリケーションを実行して、マーキング箇所データ４５２を各々の項目データ４５１について端末数、即ち参加者１０３の数を合計する。これにより、参加者１０３の注目度を表示部２に示すことができる。
【００７０】
質問内容集計データ３３３は、情報処理部３が上記第３のアプリケーションを実行して、質問内容データ４５３を項目データ４５１ごとに集計したものである。質問内容データ４５３は、参加者１０３が質問の内容を記憶するときに（図８のＳ３１）、質問内容と共に、質問内容に対応する項目データ４５１を項目データ４５１各々についてビット列で記憶するデータである。そして、質問内容集計データ３３３には、各々項目データ４５１に対する質問の数、および質問内容のデータ集合を含む。
【００７１】
このようなデータ構造にすれば、図５、図６で上述した表示状態の変更を、項目データ３３１ごとに、マーキング箇所集計データ３３２、質問内容集計データ３３３に基づいて行うことができる。そして、この表示状態を、文字の属性、例えば文字の太さ、アンダーライン、マーキング表示の属性として捉えることが出来る。情報処理部３は、項目データ３３１ごとの属性をデータ３３２、３３３に基づいて対応させ、その属性をＨＤ３３に併せて記憶する。
【００７２】
図１０、図１１に、図９で示したデータ構造の具体例を示す。１〜１２はコンテンツの各項目の識別番号を示している。情報処理部３のＨＤ３３は、データ３３１、３３２、３３３を、共通の識別番号ごとに整理して記憶する。図１０のように、項目データ３３１に通し番号を振って、データ３３２、３３３に、この通し番号と、３３１〜３３３を区別するビットと、その通し番号に対する値をセットにして記憶することができる（なお、図中では説明のため、Ｔ（term）、Ｍ(marking)、Ｑ(question)を付している）。具体的には、項目データ３３１の識別データとして、Ｔ１〜Ｔ１２、マーキング箇所集計データ３３２の集計データとして、Ｍ１〜Ｍ１２、質問内容の集計データとして、Ｑ１〜Ｑ１２を付す。携帯端末４の記憶部も同様である。
【００７３】
携帯端末４側でコンテンツの第２番目の項目にマーキングがされると、記憶部は、マーキング箇所データのＭ２に数値「１」（ビット列のＨ）を記憶し、これを項目データ４５１と関連付けて情報処理部３に送信する。また携帯端末４側で表示画像の８行目に質問入力がされると、質問内容データのＬ８に質問内容のテキストデータが記憶される。その後、表示装置１の情報処理部３にこれらのデータを送信する。情報処理部３は、これらを集計する。この例では、表示画像の第２項目に４台の携帯端末からマーキングがされ、表示画像の第８項目に７つの質問の内容が送信された場合を示している。この場合、マーキング箇所集計データのＭ８に数値「４」が記憶される。質問内容の集計データＱ８のデータ領域には、数値「７」が記憶されると共に、質問内容データがこれと関連付けて集積される。
【００７４】
図１１に、図１０で示した質問内容集計データ３３３の詳細を示す。プレゼンテーションのアプリケーションは、質問内容集計データ３３３のＱ１〜Ｑ１２のうち、質問内容が１以上あるデータについては、質問内容のデータ数分のチェックボックス枠３３４（具体的にはデータ領域および枠画像）を用意する。図１１の例では、データ３３４の数が７であるから、７つの枠を用意している。ここで、チェックボックス枠３３４は、質問内容３３５、チェック３３６を対照させた表である。
【００７５】
発表者１０２が質問に回答すると、回答したことを記録するために、タッチパネル２０またはマウス３８、キーボード３９から、チェック３３６の入力を受け付ける。
【００７６】
なお、発表者１０２が回答し、チェック３３６を入れた場合には、質問内容集計データ３３３のＱ８の数「７」を減少させても良い。そして、質問内容データ数に基づく表示状態の変化は（質問内容データ数−チェック数）に基づき決定されるようにすることができる。例えば、７つの質問のうち、３個の質問に対して回答し、３個チェックを入力すると、質問数７−チェック数３＝４となる。この数４に基づいて、表示制御部は表示状態を変化させる。即ち情報処理部３は、未回答の質問が多いほど強調されて表示していたが、回答済みが多くなるほど強調度合いを弱くして、全て回答したら標準状態の表示状態にするようにしてもよい。
【００７７】
なお、以上では、質問の数の例として７つ、マーキングの数の例として４を挙げたが、これらは、プレゼンテーションの成り行きにより変わってくるものであり、それよりも多い場合もあれば少ない場合もある。
【００７８】
以上では、プレゼンテーション、会議を例にとって説明した。しかし、プレゼンテーションの各項目の名称は、会議では「議題」になり、発表者１０２は、司会者、議事進行者になり、プレゼンテーションのアプリケーションは、議題を表示するアプリケーションになる。本実施形態は、これらの会合、催し、プロジェクト、検討対象の内容はどうあれ、その複数人が同時に同一のコンテンツを閲覧するシステムに適用できる。また、本発明の「会議システム」の概念としては、必ずしも同じ場所に「会合」してなくてもよく、同時に同一のコンテンツを閲覧するものであれば、遠隔会議でも「会議システム」の概念に含まれる。
【００７９】
そして、発表者１０２は、これらのコンテンツを閲覧する者のいずれかであればよく、発表者１０２に限らず、例えば、その閲覧するコンテンツの内容を説明したり、議事進行を務めたり、参加者１０３から出された質問をまとめる役の者であっても本実施形態を適用できる。例えば、発表者１０２のみならず、ホスト、司会者、プレゼンターであってもよい。これらまとめて、以下では発表者１０２ということにする。このように、同一のコンテンツを複数人が共有し、発表者１０２にそのコンテンツの一部の内容について端末等４、５を用いて、マーキングしたり、質問したりする内容を表示装置１に送信する形態に適用できる。
【００８０】
また、本発明の「項目」は、表示部２に表示するコンテンツの一部であればよく、上記「議題」や、アイコン、画像をも包含する概念である。
また、この実施形態のシステムによれば、参加者１０３には、各々端末等４、５が配布され、これら４，５は、表示装置１と通信するから、コンテンツの内容を閲覧することができる。よって、必ずしも参加者１０３から、表示部２が見えることを要しないし、会議テーブル１０１に集まることも要しない。また、表示装置１が参加者１０３と遠隔であっても、発表者１０２が使用する表示部２に表示できれば、表示装置１を操作する発表者１０２に知らせることが出来る。したがって、表示装置１の表示部２の画面の大きさは、参加者１０３が視認できることが望ましいが、それよりも小さくても良い。表示装置１自体も携帯端末でも良い。
【００８１】
また、会議テーブル１０１の前に参加者１０３が会し、その前に、単なるディスプレイを表示し、発表者１０２の前に設けた表示装置１から通信して、そのコンテンツを表示するようにしてもよい。このように本システムは、電話会議にも用いることができる。
【００８２】
また、端末等４、５には、マーキングした内容を表示するようにしても良い。このためには、情報処理部３の第３のサブアプリケーションは、項目データ３３１、マーキング箇所集計データ３３２、質問内容集計データ３３３を送信し、端末等４、５は、これを共有する。
【００８３】
また、携帯端末４、携帯電話機５は、いずれも備える必要はなく、いずれか一方でも良い。携帯電話機５を用いる場合には、携帯端末４での電子ペン４４のマーキングの処理は、操作キー５２から項目を選択することで同等の作用を発揮することが出来る。表示部２で表示しているコンテンツをすべて表示する必要はないし、表示部２で表示しているコンテンツの一部を表示するものでも良い。端末等４、５としては、マーキングした部分を表示部２に表示するためには、コンテンツを表示でき、項目を選択し、情報処理部３に送信できればよい。さらに、質問を受け付けるためには、文字入力を何らかの方法で情報処理部３に送信する必要がある。
【００８４】
また、図２で示す台座９の例は１例であり、台座９の構成としては、表示部２、情報処理部３、周辺機器６をひとまとまりとして、床の上に支持できれば良い。ひとまとまりとするのは、これを使用する発表者１０２等の操作の便宜のためであり、必ずしもひとまとまりとしなくても、ばらばらに設置していてもよい。また、周辺機器６は、発表者１０２の発表を多面的に展開するには役立つが、コンテンツを表示部２に表示する上では必須ではない。
【００８５】
また、以上では、端末等４、５とインターネット７１、携帯基地局７２で接続するとしたが、有線でもよく、無線ＬＡＮで接続していても良く、通信できれば良い。
【００８６】
以上の説明では、表示部２、端末等４、５の表示状態を同期させるために、コンテンツと、頁を送信するとした。そのためには、予めコンテンツ全体またはその一部を送信しておく必要がある。別の表示方法としては、予めコンテンツ全体を送信しなくても、画面の切換えごとに、現在表示部２に表示している頁のみを送信しても良い。また、テキストでなく、画像として合成されたものを携帯端末４に送信しても良い。
【００８７】
また、携帯電話機５にアプリケーションをダウンロードするようにすれば、以上の実施形態について特別の装置がなくとも、アプリケーションのインストールのみで、参加者１０３の規模を拡大することが出来る。さらに、以上の実施形態を、ＰＣと携帯電話機５と所定のウェブサイト上に構築したウェブアプリケーションで構成することも出来る。この場合には、ウェブサイトを表示するソフトが各装置（ＰＣ、携帯端末４、携帯電話機５）にインストールされていれば、新たなソフトウェアをインストールする必要がない。例えば、発表者は、コンテンツの画面を更新したり、別の頁に移動したりする場合には、発表者は、発表者しか分からない特定の操作で予めログインし、ウェブサイトを進行、更新させる。当該進行、更新した場合、その情報をサーバに記憶する。そして、参加者１０３は、ウェブアプリケーションを介してコンテンツをダウンロードする。そして、このウェブアプリケーションの更新を通して、自動的に頁を更新する。操作キー４２、操作キー５２を通じてコンテンツの項目を選択することによりマーキングを行う。また、キーボード４３、番号ボタン５３を通じて質問内容の入力を行う。これらのマーキング、質問は、そのウェブサイトに送信される。マーキング、質問がされると、以上の実施形態と同様に、表示状態を変化させる。発表者が質問を表示させると、各参加者のコンテンツは、質問画面に切り換わる。質問には、図１１のようなチェック画面が表示される。
【００８８】
また、以上の実施形態は、広い会場において多人数が集会をする場合の補助としても利用できる。例えば、携帯電話に集会の内容を表示させ、これに関する質問、マーキングを集会内の遠方の司会者に伝達して、多人数の会場をまとめることが出来る。
【００８９】
また、以上の実施形態では、質問の回答に当たっては、端末機器、ＰＣ、インターネットを介して、発表者等の音声をストリーミングで放送しても良い。
【図面の簡単な説明】
【００９０】
【図１】本発明の実施形態の会議支援システム(平面図)の概要図である。
【図２】本発明の実施形態の表示装置の本発明の実施形態の会議システムの正面図であって、本発明の実施形態の表示装置の構成例を示す。
【図３】本発明の実施形態の会議システムに用いる装置の全体ブロック図である。
【図４】本発明の実施形態の携帯端末又携帯電話の構成例、および画面表示内容の例である。
【図５】本発明の実施形態の表示装置の表示状態の例である。
【図６】本発明の実施形態の表示装置の表示状態の例である。
【図７】本発明の実施形態のフローチャートである。
【図８】本発明の実施形態の携帯端末（情報処理装置）のフローチャートを示す。
【図９】本発明の実施形態の会議システムで取り扱うデータのデータ構造を示す。
【図１０】本発明の実施形態の会議システムで取り扱うデータのデータ構造を示す。
【図１１】本発明の実施形態の会議システムで取り扱うデータのデータ構造を示す。
【符号の説明】
【００９１】
１−表示装置、  ２−表示部、  ２０−タッチパネル、  ２１−質問内容、
３−情報処理部、  ３０−ＣＰＵ、  ３１−ＲＯＭ、  ３２−ＲＡＭ、
３３−ＨＤ、  ３３１−項目データ、  ３３２−マーキング箇所集計データ、
３３３−質問内容集計データ、  ３３４−チェックボックス、
３３５−質問内容、  ３３６−チェック、
３３７−チェックマーク、  ３４−ＵＳＢ、  ３５−ＶＧＡカード、
３６−ＬＡＮカード、  ３８−マウス、  ３９−キーボード、
４−携帯端末、  ４１−端末表示部、  ４２−操作キー、
４３−キーボード、  ４４−電子ペン、  ４５−フラッシュメモリ、
４５１−項目データ、  ４５２−マーキング箇所データ、
４５３−質問内容データ、
５−携帯電話機、  ５１−電話機表示部、  ５２−番号ボタン、  ５３−操作キー、
６−周辺機器、  ６１−スキャナ装置、  ６２−プリンタ装置、
７１−インターネット、  ７２−携帯基地局、
９−台座、  ９１−基台、  ９２−脚部、  ９３−移動用車輪、  ９４−載置台、
１０１−会議テーブル、  １０２−発表者、  １０３−参加者、
【図１】
2009187094.tif 000003
【図２】
2009187094.tif 000004
【図３】
2009187094.tif 000005
【図４】
2009187094.tif 000006
【図５】
2009187094.tif 000007
【図６】
2009187094.tif 000008
【図７】
2009187094.tif 000009
【図８】
2009187094.tif 000010
【図９】
2009187094.tif 000011
【図１０】
2009187094.tif 000012
【図１１】
2009187094.tif 000013